(57)【要約】【課題】表裏の一方の面に印刷濃度が大きく変化する部分があっても、他方の面の印刷の見栄えを良くすることができる両面プリンタを提供することである。【解決手段】表裏両面のプリントデータについて、表裏の同じ位置に印刷されるプリントデータ同士を対照し、各印刷位置の表裏の一方の面のプリントデータに基づく印刷濃度に応じて、他方の面の対応する当該印刷位置における印刷濃度を、一方の面における印刷濃度の変化を打ち消すように補正することにより、表裏の一方の面に印刷濃度が大きく変化する部分があっても、他方の面の印刷の見栄えを良くすることができるようにした。【選択図】図２
2013086382.tif 000002
【特許請求の範囲】
【請求項１】
表裏両面のプリントデータに基づいて、記録紙の表裏両面に印刷を施す両面プリンタにおいて、前記表裏両面のプリントデータについて、表裏の同じ位置に印刷されるプリントデータ同士を対照し、各印刷位置の表裏の一方の面のプリントデータに基づく印刷濃度に応じて、他方の面の対応する当該印刷位置における印刷濃度を、前記一方の面における印刷濃度の変化を打ち消すように補正することを特徴とする両面プリンタ。
【請求項２】
前記印刷濃度を補正した当該印刷位置の周囲の印刷濃度を、前記当該印刷位置の補正量よりも少ない補正量で補正するようにした請求項１に記載の両面プリンタ。
【発明の詳細な説明】
【技術分野】
【０００１】
本発明は、記録紙の表裏両面に印刷を施す両面プリンタに関する。
【背景技術】
【０００２】
サーマルプリンタ、インクジェットプリンタ、レーザプリンタ等のプリンタには、記録紙の表裏両面に印刷を施す両面プリンタがある（例えば、特許文献１、２参照）。特許文献１、２に記載されたものでは、コンピュータや画像データ等から作成された表裏両面の各プリントデータに基づいて、プリンタヘッドを駆動し、記録紙の表裏両面に印刷を施すようにしている。
【先行技術文献】
【特許文献】
【０００３】
【特許文献１】特開平７−３０９０３８号公報
【特許文献２】特開２０１１−１８３６０１号公報
【発明の概要】
【発明が解決しようとする課題】
【０００４】
上述した両面プリンタで表裏両面に印刷を施された薄い記録紙の印刷物は、表裏の一方の面に印刷濃度が大きく変化する部分があると、この印刷濃度の変化が他方の面の印刷に反映され、他方の面の印刷の見栄えが悪くなる問題がある。
【０００５】
そこで、本発明の課題は、表裏の一方の面に印刷濃度が大きく変化する部分があっても、他方の面の印刷の見栄えを良くすることができる両面プリンタを提供することである。
【課題を解決するための手段】
【０００６】
上記の課題を解決するために、本発明は、表裏両面のプリントデータに基づいて、記録紙の表裏両面に印刷を施す両面プリンタにおいて、前記表裏両面のプリントデータについて、表裏の同じ位置に印刷されるプリントデータ同士を対照し、各印刷位置の表裏の一方の面のプリントデータに基づく印刷濃度に応じて、他方の面の対応する当該印刷位置における印刷濃度を、前記一方の面における印刷濃度の変化を打ち消すように補正する構成を採用した。
【０００７】
すなわち、表裏両面のプリントデータについて、表裏の同じ位置に印刷されるプリントデータ同士を対照し、各印刷位置の表裏の一方の面のプリントデータに基づく印刷濃度に応じて、他方の面の対応する当該印刷位置における印刷濃度を、一方の面における印刷濃度の変化を打ち消すように補正することにより、表裏の一方の面に印刷濃度が大きく変化する部分があっても、他方の面の印刷の見栄えを良くすることができるようにした。
【０００８】
前記印刷濃度を補正した当該印刷位置の周囲の印刷濃度を、前記当該印刷位置の補正量よりも少ない補正量で補正することにより、補正した当該印刷位置の印刷濃度の極所的な変化をならして、より見栄えを良くすることができる。
【発明の効果】
【０００９】
本発明に係る両面プリンタは、表裏両面のプリントデータについて、表裏の同じ位置に印刷されるプリントデータ同士を対照し、各印刷位置の表裏の一方の面のプリントデータに基づく印刷濃度に応じて、他方の面の対応する当該印刷位置における印刷濃度を、一方の面における印刷濃度の変化を打ち消すように補正するようにしたので、表裏の一方の面に印刷濃度が大きく変化する部分があっても、他方の面の印刷の見栄えを良くすることができる。
【図面の簡単な説明】
【００１０】
【図１】両面プリンタの実施形態を示す縦断面図
【図２】図１のコントローラの印刷制御回路を示すフローチャート
【図３】図２のフローチャートで当該印刷位置の印刷濃度の補正量ΔＡを求める補正テーブルの概念図
【図４】図２のフローチャートで当該印刷位置の周囲の印刷濃度の補正量ΔＢを求める例を示す概念図
【発明を実施するための形態】
【００１１】
以下、図面に基づき、本発明の実施形態を説明する。この両面プリンタはカラー印刷を施すサーマルプリンタであり、図１に示すように、記録紙のロール紙１を装填するリール２と、リール２から繰り出されるロール紙１を進退させるように正逆回転する送りローラ３と、ロール紙１のパス経路を表裏面を印刷する２つの印刷部４ａ、４ｂに振り分けるフィードローラ５と、各パス経路に振り分けられるロール紙１をフィードローラ５に押し付ける２つのピンチローラ６と、２つの各印刷部４ａ、４ｂに設けられたインクリボン７、サーマルヘッド８およびプラテンローラ９と、両面プリンタを制御するコントローラ１０とで基本的に構成されている。
【００１２】
前記コントローラ１０は、送りローラ３とフィードローラ５を駆動するとともに、パーソナルコンピュータや画像データの記録媒体等から入力される表裏両面の各プリントデータに基づいて、２つの印刷部４ａ、４ｂのサーマルヘッド８を駆動し、印刷部４ａでロール紙１の表面に、印刷部４ｂでロール紙１の裏面に、それぞれカラー印刷を施す。インクリボン７は、色の３原色であるイエロー（Ｙ）、マゼンタ（Ｍ）、シアン（Ｃ）の部分が長手方向に繰り返し設けられており、コントローラ１０は、入力された表裏両面のプリントデータのピクセル毎の各印刷位置での各色の印刷濃度に応じて、インクリボン７の各色の部分でサーマルヘッド８に供給する熱エネルギを決定する印刷制御回路を有する。この印刷制御回路には、以下に説明するように、表裏の一方の面の印刷濃度に応じて他方の面の印刷濃度を補正する機能が組み込まれている。
【００１３】
図２は、前記コントローラ１０の印刷制御回路を示す。コントローラ１０は、まず、入力された表裏両面のプリントデータについて、表裏の同じ位置に印刷されるプリントデータ同士をピクセル毎に対照し（ステップ１）、両面での各色の印刷濃度の変化度合いに基づいて、印刷濃度補正の要否を判断する（ステップ２）。印刷濃度補正が不要と判断した場合は、入力されたままのプリントデータに基づいて、各印刷位置での各色の印刷濃度に応じてサーマルヘッド８に供給する熱エネルギを決定する最終ステップへスキップし、表裏両面の印刷を実行する。
【００１４】
前記印刷濃度補正が必要と判断した場合は、各印刷位置の表裏反対側の面のプリントデータに基づく印刷濃度に応じて、表裏各面の対応する当該印刷位置での印刷濃度の補正量ΔＡを、後述する補正テーブルＴを用いて求める（ステップ３）。つぎに、各印刷位置に亘る補正量ΔＡの最大値ΔＡＭＡＸが所定の基準値を超えるか否かを判断し（ステップ４）、基準値を超える補正量ΔＡがある場合は、基準値を超える補正量ΔＡの当該印刷位置について、その周囲の印刷濃度の補正量ΔＢを、当該印刷位置の補正量ΔＡよりも少ない値に設定する（ステップ５）。こののち、求められた補正量ΔＡを、補正量ΔＢが設定された場合は補正量ΔＢと併せて、入力されたプリントデータの印刷濃度に足し込むように補正し（ステップ６）、最後に、補正された各色の印刷濃度に応じてサーマルヘッド８に供給する熱エネルギを決定して（ステップ７）、表裏両面の印刷を実行する。
【００１５】
図３は、前記当該印刷位置での印刷濃度の補正量ΔＡを求める補正テーブルＴを示す。この補正テーブルＴは、イエロー（Ｙ）、マゼンタ（Ｍ）、シアン（Ｃ）の各色別に設けられ、それぞれ、横罫に反対側面の印刷濃度が２５６段階に区分され、縦罫に印刷濃度を補正する当該面の印刷濃度が２５６段階に区分されており、印刷濃度の補正量ΔＡが−１０〜１０の２１段階に設定されている。プラスの値は、反対側面の印刷濃度が薄いので、当該面の印刷濃度を濃くすることを意味し、マイナスの値は、逆に反対側面の印刷濃度が濃いので、当該面の印刷濃度を薄くすることを意味する。したがって、反対側面の印刷濃度の変化を打ち消すように、当該面の印刷濃度を補正して、当該面の印刷の見栄えを良くすることができる。
【００１６】
なお、前記補正テーブルＴは、表面と裏面の印刷濃度補正に共用することができる。すなわち、表面の印刷濃度を補正する場合は、横罫が裏面の印刷濃度、縦罫が表面の印刷濃度とされ、裏面の印刷濃度を補正する場合は、横罫が表面の印刷濃度、縦罫が裏面の印刷濃度とされる。
【００１７】
図４は、前記補正テーブルＴで補正した当該印刷位置の周囲の印刷濃度の補正量ΔＢを設定する例を示す。この実施形態では、各色の補正テーブルＴで補正した当該印刷位置の補正量ΔＡの絶対値が５を超える場合にのみ、当該印刷位置の周囲１周分のピクセルについて印刷濃度の補正量ΔＢを設定するようにしている。この例では、当該印刷位置の補正量ΔＡが１０とされ、その周囲１周分の４つの印刷位置の補正量ΔＢが、ΔＡの半分の５とされている。この補正量ΔＢは、当該印刷位置の２周分以上のピクセルについて設定してもよい。
【００１８】
上述した実施形態では、表裏両面のプリントデータ同士をピクセル毎に対照し、ピクセル単位で印刷濃度の補正を行うようにしたが、プリントデータ同士を複数のピクセルをまとめたブロック毎に対照し、このブロック単位で印刷濃度の補正を行うようにすることもできる。
【００１９】
上述した実施形態では、印刷濃度補正用の補正テーブルで、当該面と反対側面の印刷濃度を２５６段階ずつに区分し、印刷濃度の補正量ΔＡを２１段階に設定したが、印刷濃度の区分数と補正量ΔＡの段階数は任意に設定することができ、当該面と反対側面の印刷濃度の区分数を異なる値とすることもできる。
【００２０】
上述した実施形態では、プリンタをカラー印刷用のサーマルプリンタとしたが、本発明に係る両面プリンタは、インクジェットプリンタやレーザプリンタにも適用することができ、白黒印刷用のものにも適用することができる。
【符号の説明】
【００２１】
１  ロール紙
２  リール
３  送りローラ
４ａ、４ｂ  印刷部
５  フィードローラ
６  ピンチローラ
７  インクリボン
８  サーマルヘッド
９  プラテンローラ
１０  コントローラ
【図１】
2013086382.tif 000003
【図２】
2013086382.tif 000004
【図３】
2013086382.tif 000005
【図４】
2013086382.tif 000006